(57)【要約】【課題】圧縮機構部もしくは軸受け部へ冷凍機油を確実に供給し、圧縮機信頼性向上を図った冷凍サイクル装置を提供すること。【解決手段】圧縮機２１、放熱器２２、膨張手段２３、蒸発器２４が環状に接続され、冷媒が循環する冷媒回路２と、前記圧縮機２１の温度または前記圧縮機２１と前記放熱器２２とを接続する冷媒配管の温度を検出する第１温度センサ５１と、前記放熱器２２の被加熱体である熱媒体の温度を検出する第２温度センサ５２と、前記圧縮機２１を加熱する加熱装置３１とを備え、制御装置４は、前記第２温度センサ５２で検出される温度が、前記第１温度センサ５１で検出される温度よりも所定の温度差以上高くなった場合、前記加熱装置３１を動作させる冷凍サイクル装置。【選択図】図１
2013096670.tif 000002
【特許請求の範囲】
【請求項１】
圧縮機、放熱器、膨張手段、蒸発器が環状に接続され、冷媒が循環する冷媒回路と、前記圧縮機の温度または前記圧縮機と前記放熱器とを接続する冷媒配管の温度を検出する第１温度センサと、前記放熱器の被加熱体である熱媒体の温度を検出する第２温度センサと、前記圧縮機を加熱する加熱装置と、制御装置とを備え、前記制御装置は、前記第２温度センサで検出される温度が、前記第１温度センサで検出される温度よりも所定の温度差以上高くなった場合、前記加熱装置を動作させることを特徴とする冷凍サイクル装置。
【請求項２】
前記圧縮機から吐出される冷媒の過熱度を検出する第１過熱度検出手段を備え、前記制御装置は、前記第１過熱度検出手段で検出される過熱度が所定値になるまでは、前記冷媒の循環量が所定値以下となるように、前記圧縮機の回転数を制御することを特徴とする請求項１に記載の冷凍サイクル装置。
【請求項３】
前記蒸発器から流出する冷媒の過熱度を検出する第２過熱度検出手段を備え、前記制御装置は、前記第２過熱度検出手段で検出される過熱度が所定値となるように、前記膨張手段の開度を制御することを特徴とする請求項１または２に記載の冷凍サイクル装置。
【請求項４】
前記請求項１〜３のいずれか１項に記載の熱媒体は、水または不凍液であり、前記放熱器により加熱された水または不凍液を、暖房および／または給湯に利用することを特徴とする温水生成装置。
【発明の詳細な説明】
【技術分野】
【０００１】
本発明は、冷凍サイクル装置に関するものである。
【背景技術】
【０００２】
従来、この種の冷凍サイクル装置は、周囲温度が低い状態で装置を起動する場合、圧縮機の信頼性を低下させないことを目的のひとつとして、所定の条件を満たした場合に圧縮機を加熱する加熱装置を備えている（例えば、特許文献１参照）。
【０００３】
図６は、特許文献１に記載された従来の冷凍サイクル装置を示すものである。図６（ａ）に示すように、冷凍サイクル装置１００は、冷媒を循環させる冷媒回路１１０に圧縮機１１１、凝縮器として機能し流通する熱媒体を加熱する放熱器１１２、膨張弁１１３、および蒸発器１１４とが、配管により環状に接続されて構成されている。
【０００４】
圧縮機１１１には、図６（ｂ）に示すように、圧縮機１１１を加熱する加熱装置３１０、圧縮機１１１の冷凍機油温度（圧縮機シェル温度）Ｔｄを検出する温度センサ１５１が設けられている。さらに、圧縮機１１１は制御装置１４１を備えている。
【０００５】
この冷凍サイクル装置１００における作用について、放熱器１１２の凝縮潜熱を利用して熱媒体の加熱を行う加熱運転（暖房運転）を例に説明する。
【０００６】
冷凍サイクル装置１００の周囲温度が低い状態において、圧縮機１１１が停止した状態から起動する場合に、圧縮機１１１に設けられた温度センサ１５１にて、圧縮機シェル温度Ｔｄを検出する。
【０００７】
圧縮機シェル温度Ｔｄが所定の温度（設定温度）以上の場合には、圧縮機１１１を起動したときに、圧縮機１１１のシェル底部に液冷媒と冷凍機油が滞留し、圧縮機構部もしくは軸受け部に冷凍機油を供給できると判断し、制御装置１４１は加熱装置１５１を動作させない。
【０００８】
圧縮機シェル温度Ｔｄが所定の温度（設定温度）未満の場合には、圧縮機１１１内の液冷媒と冷凍機油の粘度が高くなって流動性が低下し、圧縮機構部もしくは軸受け部での潤滑不良が発生すると判断し、制御装置１４１は加熱装置１５１を動作させる。これにより、圧縮機構部もしくは軸受け部へ冷凍機油を供給し、圧縮機１１１の信頼性を確保している。
【先行技術文献】
【特許文献】
【０００９】
【特許文献１】特開２００５−１５５９８１号公報
【発明の概要】
【発明が解決しようとする課題】
【００１０】
しかしながら、前記従来の構成では、高圧シェルタイプ圧縮機の圧縮機シェル温度が低く、かつ、放熱器を流通する熱媒体の温度が高い場合、つまり熱媒体と圧縮機温度差が大きい場合、長時間停止状態である圧縮機を起動すると、放熱器において冷媒が加熱されて冷媒の圧力が上昇し、冷媒の飽和温度が高くなる。
【００１１】
一方、圧縮機は熱容量のためにシェル温度上昇速度が遅くなり、圧縮機の圧縮室から吐
出した過熱ガス冷媒が圧縮機内で凝縮して液冷媒となり、液冷媒と冷凍機油が共に圧縮機吐出配管から流出し、圧縮機の冷凍機油が不足して圧縮機構部もしくは軸受け部に冷凍機油を供給できなくなって圧縮機の信頼性が低下していた。
【００１２】
本発明は、前記従来の課題を解決するもので、圧縮機構部もしくは軸受け部へ冷凍機油を確実に供給し、圧縮機の信頼性向上を図った冷凍サイクル装置を提供することを目的とする。
【課題を解決するための手段】
【００１３】
前記従来の課題を解決するために、本発明の冷凍サイクル装置は、圧縮機、放熱器、膨張手段、蒸発器が環状に接続され、冷媒が循環する冷媒回路と、前記圧縮機の温度または前記圧縮機と前記放熱器とを接続する冷媒配管の温度を検出する第１温度センサと、前記放熱器の被加熱体である熱媒体の温度を検出する第２温度センサと、前記圧縮機を加熱する加熱装置と、制御装置とを備え、前記制御装置は、前記第２温度センサで検出される温度が、前記第１温度センサで検出される温度よりも所定の温度差以上高くなった場合、前記加熱装置を動作させることを特徴とするものである。
【００１４】
これにより、高圧シェルタイプの圧縮機のシェル温度が低く、かつ、放熱器を流通する熱媒体の温度が高い場合、圧縮機の加熱装置を動作させることによりシェル温度が上昇して飽和温度以上になると、圧縮機の圧縮室から吐出した過熱ガス冷媒が圧縮機内で凝縮する現象が起きにくくなり、圧縮機吐出配管から過熱度を確保したガス冷媒として吐出することができる。
【００１５】
その結果、液冷媒と冷凍機油が共に圧縮機から流出する量を低減できるため、圧縮機構部もしくは軸受け部へ冷凍機油を確実に供給し、圧縮機の信頼性向上を図ることができる。
【発明の効果】
【００１６】
本発明によれば、圧縮機構部もしくは軸受け部へ冷凍機油を確実に供給し、圧縮機の信頼性向上を図った冷凍サイクル装置を提供できる。
【図面の簡単な説明】
【００１７】
【図１】本発明の実施の形態１における温水生成装置の概略構成図
【図２】同加熱装置の制御内容を示す図
【図３】従来の冷凍サイクル装置の運転開始時の冷凍サイクル経時変化を示す図
【図４】本発明の実施の形態１における冷凍サイクル装置の運転開始時の冷凍サイクル経時変化示す図
【図５】本発明の実施の形態１における冷凍サイクル装置の運転制御のフローチャート
【図６】（ａ）従来の冷凍サイクル装置の概略構成図（ｂ）従来の圧縮機の概略構成図
【発明を実施するための形態】
【００１８】
第１の発明は、圧縮機、放熱器、膨張手段、蒸発器が環状に接続され、冷媒が循環する冷媒回路と、前記圧縮機の温度または前記圧縮機と前記放熱器とを接続する冷媒配管の温度を検出する第１温度センサと、前記放熱器の被加熱体である熱媒体の温度を検出する第２温度センサと、前記圧縮機を加熱する加熱装置と、制御装置とを備え、前記制御装置は、前記第２温度センサで検出される温度が、前記第１温度センサで検出される温度よりも所定の温度差以上高くなった場合、前記加熱装置を動作させることを特徴とする冷凍サイクル装置である。
【００１９】
これにより、高圧シェルタイプの圧縮機のシェル温度が低く、かつ、放熱器を流通する熱媒体の温度が高い場合、つまり熱媒体と圧縮機温度差が大きい場合、長時間停止状態である圧縮機を起動すると、放熱器において冷媒が加熱されて冷媒の圧力が上昇し、冷媒の飽和温度が高くなる現象が生じる。
【００２０】
そこで、圧縮機の加熱装置を動作させることによりシェル温度が上昇して飽和温度以上になると、圧縮機の圧縮室から吐出した過熱ガス冷媒が圧縮機内で凝縮する現象が起きにくくなり、圧縮機吐出配管から過熱度を確保したガス冷媒として吐出することができる。
【００２１】
その結果、液冷媒と冷凍機油が共に圧縮機から流出する量を低減できるため、圧縮機構部もしくは軸受け部へ冷凍機油を確実に供給し、圧縮機の信頼性向上を図ることができる。
【００２２】
第２の発明は、特に、第１の発明において、前記圧縮機から吐出される冷媒の過熱度を検出する第１過熱度検出手段を備え、前記制御装置は、前記第１過熱度検出手段で検出される過熱度が所定値になるまでは、前記冷媒の循環量が所定値以下となるように、前記圧縮機の回転数を制御することを特徴とするものである。
【００２３】
これにより、圧縮機シェル内部での吐出冷媒凝縮が終了したと判断できる過熱状態となるまで、冷媒の循環量が少ない状態で運転するため、圧縮機からの吐出冷媒量自体が少なくなり、かつ吐出冷媒に混合されて圧縮機から流出する冷凍機油の含有率が低下する。
【００２４】
その結果、圧縮機から流出する冷凍機油の流出量を更に低減することができ、圧縮機の信頼性向上を図ることができる。
【００２５】
第３の発明は、特に、第１または第２の発明において、前記蒸発器から流出する冷媒の過熱度を検出する第２過熱度検出手段を備え、前記制御装置は、前記第２過熱度検出手段で検出される過熱度が所定値となるように、前記膨張手段の開度を制御することを特徴とするものである。
【００２６】
これにより、冷媒回路における蒸発器出口過熱度が、所定の過熱度（例えば１０ｄｅｇのように大きめの過熱度）となるように膨張弁を制御するので、圧縮機の吸入冷媒は過熱状態となり、圧縮機を加熱する。
【００２７】
その結果、圧縮機のシェル温度上昇が速くなるため、圧縮機シェル内部での凝縮現象を抑制でき、液冷媒と冷凍機油が共に圧縮機から流出する運転を短時間で終了できる。
【００２８】
第４の発明は、前記請求項１〜３のいずれか１項に記載の熱媒体は、水または不凍液であり、前記放熱器により加熱された水または不凍液を、暖房および／または給湯に利用することを特徴とする温水生成装置である。
【００２９】
これにより、熱媒体を暖房機器（床暖房、自然対流を利用したパネルヒータ、強制対流を利用したファンコンベクタ等）や給湯機などに幅広く使用することができる。
【００３０】
以下、本発明の実施の形態について、図面を参照しながら説明する。なお、この実施の形態によって本発明が限定されるものではない。
【００３１】
（実施の形態１）
図１に、本発明の第１の実施形態に係る温水生成装置１Ａの概略構成図を示す。この温
水生成装置１Ａは、冷凍サイクル装置１Ｂと熱媒体回路３とを備えている。
【００３２】
冷凍サイクル装置１Ｂは、冷媒を循環させる冷媒回路２を備えており、冷媒としては、例えば、Ｒ４０７Ｃ等の非共沸混合冷媒、Ｒ４１０Ａ等の擬似共沸混合冷媒、またはＲ３２等の単一冷媒等を用いることができる。
【００３３】
冷凍サイクル装置１Ｂは、冷媒回路２、高圧シェル型の圧縮機２１、放熱器２２、膨張手段（膨張弁）２３及び蒸発器２４が配管により環状に接続されて構成されている。本実施の形態では、冷媒回路２に、放熱器２２の冷媒の凝縮潜熱を利用して熱媒体回路３の熱媒体の加熱を行う加熱運転と、蒸発器２４に付着した霜を融解させるデフロスト運転とを切り換えるための四方弁２５が設けられている。
【００３４】
加熱装置３１とは、制御装置４からの指示により圧縮機２１の加熱を行う。
【００３５】
また、冷凍サイクル装置１Ｂは、圧縮機２１の温度、または圧縮機２１から放熱器２２に至る冷媒配管の温度を検出する第１温度センサ５１と、圧縮機２１から吐出される冷媒の過熱度を検出する第１過熱度検出手段６１と、蒸発器２４から流出する冷媒の過熱度を検出する第２過熱度検出手段６２とを備えている。
【００３６】
本実施形態では、冷凍サイクル装置１Ｂは、放熱器２２で生成した高温の熱媒体（温水）を暖房や給湯に利用する温水生成装置を構成しており、放熱器２２は、冷媒と熱媒体との間で熱交換を行わせる熱交換器となっている。
【００３７】
熱媒体回路３は、放熱器２２と、熱媒体の温度を検出する第２温度センサ５２とを備えている。
【００３８】
以上のように構成された温水生成装置について、以下その動作、作用を説明する。
【００３９】
まず、図１では放熱器２２において熱媒体の加熱を行う加熱運転の場合の冷媒および熱媒体の流れ方向を矢印で示している。
【００４０】
圧縮機２１から吐出した高圧冷媒は、四方弁２５を介して放熱器２２へ流入し凝縮熱を放熱して、冷媒自身は冷却して液化凝縮する。冷却した高圧液冷媒は、放熱器２２から流出する。
【００４１】
放熱器２２から流出した高圧液冷媒は、膨張弁２３によって減圧されて膨張した後に、蒸発器２４へ流入する。蒸発器２４へ流入した低圧二相冷媒は、蒸発して空気から気化熱を吸熱して、低圧の二相冷媒または過熱冷媒となって蒸発器２４から流出する。
【００４２】
蒸発器２４から流出した低圧冷媒は、四方弁２５を通過して、圧縮機２１に吸入する。放熱器２２に流入した低温の熱媒体は、冷媒と熱交換を行って加熱され、高温の熱媒体となって、放熱器２２から流出する。流出した高温の熱媒体は、暖房機器（床暖房、自然対流を利用したパネルヒータ、強制対流を利用したファンコンベクタ等）や給湯機器で利用されて放熱した後、再び放熱器２２に流入し熱媒体回路３を循環する。
【００４３】
制御装置４は、第１温度センサ５１と第２温度センサ５２で検出される検出値を用いて加熱装置３１の制御を行い、また第１過熱度検出手段６１や第２過熱度検出手段６２での検出値等を用いて、圧縮機２１の回転数や、四方弁２５の切り換えや、膨張弁２３開度の制御を行う。
【００４４】
従来の方法では、制御装置４は第１温度センサ５１で検出した温度のみを利用し、加熱装置３１を動作させていた。すなわち、図２のように熱媒体温度に関係なく、制御装置４は、第１温度センサ５１で検出した圧縮機２１の温度（シェル温度）が設定温度未満の場合（図２の領域Ａ）は加熱装置３１を動作させ、設定温度以上の場合は加熱装置３１を停止させていた。設定温度としては、例えば冬の外気温度を想定し１０℃程度が設定される。
【００４５】
このとき、放熱器２２を流通する熱媒体の温度が高圧シェルタイプの圧縮機２１のシェル温度より高く、両者の温度差が大きい状態（例えば、冷凍サイクル装置１Ｂにより、熱媒体が高温状態となる加熱運転が実施され、サーモオフなどにより圧縮機２１が停止した後、圧縮機２１のシェル温度が周囲温度付近まで低下し長時間経過した状態）で加熱運転を開始した場合を図３に示す。
【００４６】
圧縮機２１を起動した場合（図３のａ）、放熱器２２において冷媒が加熱されて冷媒の圧力が急激に上昇し、冷媒の吐出圧力飽和温度が高くなる現象が生じる。
【００４７】
一方、圧縮機２１は圧縮運転により加熱されるが、圧縮機２１自体の熱容量により、圧縮機シェル温度は周囲温度付近から徐々に温度上昇していく。このとき、図３のａ〜ｂ区間のように、圧縮機２１のシェル温度が、吐出圧力の飽和温度を下回る状態となり、圧縮機２１の内部において、圧縮室から吐出した過熱ガス冷媒が凝縮する。
【００４８】
そして、凝縮により液冷媒となった冷媒は、圧縮機２１内の冷凍機油と混合し、圧縮機２１の液面（冷凍機油＋液冷媒）の上昇によって圧縮機２１吐出配管から大量に吐出される。その後、図３のｂ以降のように、圧縮機２１のシェル温度が、吐出圧力飽和温度より高くなると、冷凍機油中の冷媒成分が蒸発するために、液面は一気に低下し、給油可能な液面高さを下回ることとなる。
【００４９】
これにより、圧縮機２１内部の圧縮機構部もしくは軸受け部等への給油不良により、圧縮機２１が損傷するといった問題が起こる可能性がある。高温の熱媒体を生成し、幅広い用途や環境条件で活用し、機器の信頼性を確保するためには、この起動時の冷凍機油吐出を抑制することが重要である。
【００５０】
本実施の形態では、詳しくは後述するが、従来では加熱装置３１が動作しなかった、シェル温度が設定温度以上の状態において、熱媒体の温度が圧縮機２１のシェル温度より、所定の温度差以上高くなった場合（図２の領域Ｂ）、加熱装置３１を動作させて所定時間経過後に、圧縮機２１を起動させ、冷媒の循環量が所定の循環量未満となるように、圧縮機２１の回転数を低下させて運転行う。
【００５１】
また、制御装置４は、蒸発器２４から流出する冷媒の過熱度が、所定の過熱度となるように制御を行う。
【００５２】
これにより、加熱装置３１を動作させた後（図４のａ）、シェル温度が上昇し（図４中ｂ）、圧縮機２１の吐出圧力飽和温度が高くなる。その後、図４のｂ〜ｃ区間のように、圧縮機２１が低回転数で運転し循環量を抑制することで、圧縮機２１の圧縮室から吐出した過熱ガス冷媒が圧縮機２１内で凝縮する現象が起きにくくなると共に、冷媒の循環量が少ない状態で運転するため、圧縮機からの吐出冷媒量自体が少なくなり、かつ吐出冷媒に混合されて圧縮機から流出する冷凍機油の含有率が低下する。そして、圧縮機２１の吸入冷媒は過熱状態となり、圧縮機２１を加熱する。
【００５３】
したがって、液冷媒と冷凍機油が共に圧縮機２１から流出する量を低減でき、従来に比
べ、シェル内部での凝縮によって液冷媒と冷凍機油が共に圧縮機２１から流出する運転を短時間で終了（図４中ｄ）するため、起動時の圧縮機２１内の冷凍機油面高さが確保され、圧縮機２１の信頼性向上を図ることが可能となる。
【００５４】
以下、制御装置４の制御を図５に示すフローチャートを参照して詳細に説明する。
【００５５】
まず、制御装置４は、リモコン等により入力される暖房運転（加熱運転）開始指示を受信し、暖房運転を行う（ステップＳ１）。
【００５６】
次に、第２温度センサ５２で熱媒体温度Ｔｗを検出するとともに、第１温度センサ５１で圧縮機シェル温度Ｔｄを検出して（ステップＳ２）、熱媒体温度Ｔｗと圧縮機シェル温度Ｔｄとの温度差Ｔａを、Ｔａ＝Ｔｗ−Ｔｄにより算出する（ステップＳ３）。
【００５７】
ついで、制御装置４は、温度差Ｔａと所定の温度差Ｔｘを比較し、ＴａがＴｘ以上か否かを判断する（ステップＳ４）。
【００５８】
温度差Ｔａが所定の温度差Ｔｘ未満の場合には（ステップＳ４でＮＯ）、圧縮機２１のシェル内部において、吐出冷媒が凝縮されにくいと判断し、本起動制御を終了する。
【００５９】
一方、温度差Ｔａが所定の温度差Ｔｘ以上の場合には（ステップＳ４でＹＥＳ）、圧縮機２１のシェル内部において、吐出冷媒が凝縮されやすいと判断し、加熱装置３１を動作させる（ステップＳ５）。
【００６０】
その後、制御装置４は、加熱装置３１が動作してから所定時間ｔ１が経過したかを判断する（ステップＳ６）。所定時間ｔ１が経過していない場合（ステップＳ６でＮＯ）は現在の状態を維持し、経過している場合（ステップＳ６でＹＥＳ）は、圧縮機を起動する（ステップＳ７）。
【００６１】
次に、制御装置４は、第１過熱度検出手段６１で吐出過熱度ＳＨｄを、第２過熱度検出手段６２で吸入過熱度ＳＨｅを検出する（ステップＳ８）。そして、吐出過熱度ＳＨｄと所定の第１過熱度ＳＨｘとを比較して、ＳＨｄがＳＨｘ以下か否かを判断する（ステップＳ９）。
【００６２】
吐出過熱度ＳＨｄが所定の第１過熱度ＳＨｘより大きい場合には（ステップＳ９でＮＯ）、圧縮機２１のシェル内部における、吐出冷媒の凝縮は終了したと判断し、本起動制御を終了する。
【００６３】
一方、吐出過熱度ＳＨｄが所定の第１過熱度ＳＨｘ以下の場合には（ステップＳ９でＹＥＳ）、圧縮機２１のシェル内部の冷媒凝縮を防止する必要があると判断し、圧縮機２１の回転数を冷媒回路２における冷媒循環量が所定値以下になるように低下させて運転する（ステップＳ１０）とともに、吸入過熱度ＳＨｅが所定の第２過熱度ＳＨｙに等しくなるように膨張弁２３の開度を調整する（ステップＳ１１）。そして、ステップＳ８に戻る。
【００６４】
以上のように、本実施の形態においては、圧縮機２１を加熱する加熱装置３１と、圧縮機２１の温度または放熱器２２に至る冷媒配管の温度を検出する第１温度センサ５１と、熱媒体回路３において熱媒体の温度を検出する第２温度センサ５２と、制御装置４とを備え、制御装置４は、第２温度センサ５２で検出される温度Ｔｗが第１温度センサ５１で検出される温度Ｔｄより所定の温度差Ｔｘ以上高くなった場合、加熱装置３１を動作させて所定時間ｔ１経過後に、圧縮機２１を起動する。
【００６５】
これによって、高圧シェルタイプである圧縮機２１のシェル温度が低く、かつ、放熱器２２を流通する熱媒体の温度が高い場合、圧縮機２１の加熱装置３１を動作させることによりシェル温度が上昇して飽和温度以上になると、圧縮機２１の圧縮室から吐出した過熱ガス冷媒が圧縮機２１内で凝縮する現象が起きにくくなり、圧縮機２１吐出配管から過熱度を確保したガス冷媒として吐出することができる。
【００６６】
その結果、液冷媒と冷凍機油が共に圧縮機２１から流出する量を低減できるため、圧縮機構部もしくは軸受け部へ冷凍機油を確実に供給し、圧縮機信頼性向上を図ることが可能となる。
【００６７】
また、圧縮機２１から吐出される冷媒の過熱度を検出する第１過熱度検出手段６１を備え、第１過熱度検出手段６１で検出される過熱度ＳＨｄが、所定の第１過熱度ＳＨｘを超えるまでの間、冷媒の循環量を所定値未満にして運転を行う。
【００６８】
これによって、圧縮機シェル内部での吐出冷媒凝縮が終了したと判断できる過熱状態となるまで、冷媒の循環量が少ない状態で運転するため、圧縮機２１からの吐出冷媒量自体が少なくなり、かつ吐出冷媒に混合されて圧縮機２１から流出する冷凍機油の含有率が低下する。
【００６９】
その結果、圧縮機から流出する冷凍機油の流出量を更に低減することができ、圧縮機２１の信頼性向上を図ることが可能となる。
【００７０】
さらに、蒸発器２４から流出する冷媒の過熱度を検出する第２過熱度検出手段６２で検出される過熱度ＳＨｅが、所定の第２過熱度ＳＨｙとなるように膨張手段２３を制御するものである。
【００７１】
これによって、冷媒回路２における蒸発器２４出口過熱度ＳＨｅが、所定の過熱度（例えば１０ｄｅｇのように大きめの過熱度）となるように膨張弁２３を制御するので、圧縮機２１の吸入冷媒は過熱状態となり、圧縮機２１を加熱する。
【００７２】
その結果、圧縮機２１のシェル温度上昇が速くなるため、圧縮機シェル内部での凝縮現象を抑制でき、液冷媒と冷凍機油が共に圧縮機２１から流出する運転を短時間で終了できる。
【００７３】
そして、熱媒体としては、空気、水、または、不凍液であり、放熱器２２により加熱された熱媒体を、暖房と給湯の少なくとも一方に利用するものである。これによって、放熱器２２は、冷媒−空気熱交換器でも、冷媒−水熱交換器でも、冷媒−不凍液熱交換器など、種類を限定する必要がない。
【００７４】
その結果、熱媒体を暖房機器（床暖房、自然対流を利用したパネルヒータ、強制対流を利用したファンコンベクタ等）や給湯機器などに幅広く使用することができる。
【００７５】
なお、図１では、第２温度センサ５２が熱媒体回路３における放熱器２２の入り口側に設けられているが、第２温度センサ５２は、熱媒体回路３のどの位置に設けられていてもよい。
【産業上の利用可能性】
【００７６】
本発明は、冷凍サイクル装置によって温水を生成し、その温水を暖房や給湯に利用する温水生成装置に特に有用である。
【符号の説明】
【００７７】
１Ａ  温水生成装置
１Ｂ  冷凍サイクル装置
２  冷媒回路
３  熱媒体回路
４  制御装置
２１  圧縮機
２２  放熱器
２３  膨張弁（膨張手段）
２４  蒸発器
３１  加熱装置
５１  第１温度センサ
５２  第２温度センサ
６１  第１過熱度検出手段
６２  第２過熱度検出手段
【図２】
2013096670.tif 000003
【図３】
2013096670.tif 000004
【図４】
2013096670.tif 000005
【図５】
2013096670.tif 000006
【図６】
2013096670.tif 000007
【図１】
2013096670.tif 000008